(57)【特許請求の範囲】
【請求項１】
タッチパネルと、タッチパネル上のタッチ位置を検出するタッチ位置検出部とを備え、
上記タッチ位置検出部は、相対的に最も早く検出されたタッチ位置であるタッチ開始位置候補を基準に判定領域を設定すると共に、タッチ開始位置候補を起点とするタッチが、判定領域内で所定回数以上連続した場合に、タッチ開始位置候補からタッチが開始されたと判定するタッチ開始判定部を備え、
上記タッチ開始判定部は、上記判定領域の面積と上記所定回数とが比例するように、上記判定領域を設定することを特徴とするタッチパネルシステム。
【請求項２】
上記タッチ開始判定部は、上記タッチ開始位置候補を起点とするタッチが、判定領域内で所定回数以上連続しなかった場合に、上記タッチ開始位置候補を起点とするタッチを、タッチとして出力しないことを特徴とする請求項１に記載のタッチパネルシステム。
【請求項３】
上記タッチ開始判定部は、上記タッチパネルのスキャン周期、タッチパネルの面積、および上記所定回数の少なくとも１つに基づいて、上記判定領域を設定することを特徴とする請求項１または２に記載のタッチパネルシステム。
【請求項４】
上記タッチ開始判定部は、上記判定領域を、上記タッチ開始位置候補を中心とする円形状に設定することを特徴とする請求項１、２、または３に記載のタッチパネルシステム。
【発明の詳細な説明】
【技術分野】
【０００１】
本発明は、タッチパネルシステムおよびそれを備えた電子機器に関し、特に、ノイズ等の影響により発生したタッチ様現象によるタッチ操作の誤認識を防止することのできるタッチパネルシステムおよびそれを備えた電子機器に関するものである。
【背景技術】
【０００２】
現在、スマートフォン等の携帯情報機器、自動券売機等の自動販売機を始めとする様々な電子機器に、タッチパネルシステムの搭載が急速に進んでいる。タッチパネルシステムに搭載される主流のタッチパネルは、抵抗膜方式のタッチパネルである。しかし最近では、マルチタッチが可能であることなどの理由から、投影型静電容量方式のタッチパネルが普及してきている。【０００３】
このようなタッチパネルシステムの一例として、特許文献１には、コマンド入力装置が開示されている。このコマンド入力装置は、タッチパネルと、接触時間検出手段と、接触回数検出手段と、接触間隔検出手段と、入力コマンド判定手段とを備えている。接触時間検出手段は、タッチパネルに指が連続的に接触している時間を検出する。接触回数検出手段は、タッチパネルに指が触れた回数を検出する。接触間隔検出手段は、指がタッチパネルから離れて次に接触するまでの時間を検出する。入力コマンド判定手段は、接触時間検出手段、接触回数検出手段、および、接触間隔検出手段の検出結果に基づいて、入力コマンドを判定する。【０００４】
図７は、特許文献１に記載のコマンド入力装置の動作を説明するフローチャートである。図７のように、上記コマンド入力装置は、タッチパネルに指を接触する時間・回数・間隔に基づいてコマンドを入力できるようになっている（Ｓ５０１〜５０７）。そして、入力されたコマンドに基づいてコマンドが判定される（Ｓ５０８）。さらに、判定されたコマンドに基づいて動作が選択され（Ｓ５０９）、その動作に応じて制御される（Ｓ５１０）。
【先行技術文献】
【特許文献】
【０００５】
【特許文献１】日本国公開特許公報「特開２００４−３６２４２９号公報（２００４年１２月２４日公開）」
【発明の概要】
【発明が解決しようとする課題】
【０００６】
しかしながら、従来のタッチパネルシステムは、ノイズ等に起因するタッチ様現象を、タッチとして誤認識してしまうという問題がある。なお、このタッチ様現象とは、タッチ操作をしていないにもかかわらず、タッチが認識される現象をいう。【０００７】
具体的には、従来のタッチパネルシステムでは、所定時間ごとにタッチ位置を検知することにより、一連のタッチ操作が認識される。このため、例えば、タッチパネル上にノイズ等に起因するタッチ様信号が発生した場合、タッチ様信号の位置までもがタッチ位置として認識される。このように、従来のタッチパネルシステムは、認識する必要がないにもかかわらず、タッチ様現象をタッチとして誤認識してしまう。【０００８】
一方、特許文献１に記載のコマンド入力装置は、カーナビゲーション装置としての適用が意図されている。すなわち、上記コマンド入力装置は、タッチパネルへの連続接触時間、接触回数、接触時間間隔に基づいて、入力コマンドを判定する。これによって、運転中のコマンド入力時に運転者がタッチパネルに視線を移す必要がなく、車両が振動していても正確なコマンド入力が可能となる。このため、上記コマンド入力装置も、ノイズ等に起因するタッチ様現象を、タッチとして誤認識してしまう。【０００９】
本発明は、上記従来の問題点に鑑みてなされたものであり、その目的は、ノイズ等に起因するタッチ様現象の誤認識を防止することができるタッチパネルシステム等を提供することにある。
【課題を解決するための手段】
【００１０】
上記の課題を解決するために、本発明の一態様に係るタッチパネルシステムは、タッチパネルと、タッチパネル上のタッチ位置を検出するタッチ位置検出部とを備え、上記タッチ位置検出部は、相対的に最も早く検出されたタッチ位置であるタッチ開始位置候補を基準に判定領域を設定すると共に、タッチ開始位置候補を起点とするタッチが、判定領域内で所定回数以上連続した場合に、タッチ開始位置候補からタッチが開始されたと判定するタッチ開始判定部を備えることを特徴としている。
【発明の効果】
【００１１】
本発明の一態様によれば、ノイズ等に起因するタッチ様現象の誤認識を防止することができるという効果を奏する。
【図面の簡単な説明】
【００１２】
【図１】本発明の実施形態１に係るタッチパネルシステムの概略図である。
【図２】図１のタッチパネルシステムにおけるタッチ開始判定部を示すブロック図である。
【図３】図１のタッチパネルシステムにおいて検出される一連のタッチの例を示す図である。
【図４】図１のタッチパネルシステムにおけるタッチ開始判定部の処理を示すフローチャートである。
【図５】図１のタッチパネルシステムにおけるタッチ開始判定部の処理を示す模式図である。
【図６】本発明の実施形態２に係る携帯電話機の構成を示すブロック図である。
【図７】特許文献１に記載のコマンド入力装置の動作を説明するフローチャートである。
【発明を実施するための形態】
【００１３】
〔実施形態１〕
（タッチパネルシステム１の構成）
以下、本発明の実施形態について、詳細に説明する。図１は、本発明の実施形態１に係るタッチパネルシステム１の基本構成を示す概略図である。図１に示すように、タッチパネルシステム１は、表示装置２、タッチパネル３、ドライブライン駆動部４、タッチ位置検出部５、およびホスト端末６を備えている。以下では、使用者が利用する側を、前面（または上方）として説明する。
【００１４】
表示装置２は、表示面を有している。表示面には、操作用の各種アイコンや、使用者の操作指示に応じた文字情報等が表示される。表示装置２は、例えば、液晶ディスプレイ、プラズマディスプレイ、有機ＥＬディスプレイ、電界放出ディスプレイ（ＦＥＤ；field emission display）等から構成される。これらのディスプレイは、日常的な電子機器に多用されており、汎用性の高いタッチパネルシステム１が構成される。表示装置２は、任意の構成とすればよく、特に限定されない。また、表示装置２は、ＴＦＴ（Thin-Film Transistor）として、その半導体層にいわゆる酸化物半導体を用いたＴＦＴを採用することが好ましい。この酸化物半導体には、例えば、ＩｎＧａＺｎＯ系酸化物半導体が含まれる。ＩｎＧａＺｎＯ系酸化物半導体を採用した表示装置２は、高精細表示および飛躍的な省エネルギー化を実現することができる。
【００１５】
タッチパネル３は、使用者が指またはペン等の指示体により、タッチパネル３の表面をタッチ（押圧）操作することによって、各種の操作指示を入力する。タッチパネル３は、表示面を覆うように、表示装置２の前面（上部）に積層されている。本実施形態では、タッチパネル３として、投影型静電容量方式のタッチパネルを用いている。静電容量方式のタッチパネル３は、透過率が高く、耐久性も有するという利点を有する。しかし、タッチパネル３の方式は限定されるものではなく、他の方式であってもよい。例えば、タッチパネル３の方式は、抵抗膜方式、電磁誘導方式、超音波表面弾性波方式、または、赤外線走査方式であってもよい。
【００１６】
具体的には、タッチパネル３は、表示面に沿って設けられる複数の平行なドライブラインＤＬと、表示面に沿って設けられドライブラインＤＬと立体交差する複数の平行なセンスラインＳＬとを備える。ドライブラインＤＬとセンスラインＳＬとの交差部分には、静電容量が形成されている。ドライブラインＤＬ及びセンスラインＳＬは、いずれも、例えば、ＩＴＯ（Indium Tin Oxide：酸化インジウムスズ）などの透明な配線材料、または、金属メッシュから形成することができる。ドライブラインＤＬ及びセンスラインＳＬは、表示装置２（表示面の一部を成すパネル体）に配線される。なお、図１では、ドライブラインＤＬとセンスラインＳＬとが垂直に立体交差する場合について例示しているが、垂直以外の角度で立体交差してもよい。
【００１７】
ドライブライン駆動部４は、ドライブラインＤＬに接続されており、タッチパネルシステム１の起動時に、ドライブラインＤＬに一定周期で電位を印加する。ドライブライン駆動部４は、ドライブラインＤＬを駆動することで当該ドライブラインＤＬと立体交差するセンスラインＳＬに状態信号を生成させる。状態信号は、タッチパネル３上の上記立体交差部分やその近傍部分（以下、検出領域（図１中の検出領域Ｘ））上におけるタッチの状態を示す信号である。
【００１８】
状態信号は、ドライブラインＤＬとセンスラインＳＬとの間の静電容量に応じた値となり、タッチパネル３上の検出領域Ｘに対して接触あるいは近接しているかを示す信号となる。つまり、状態信号は、検出領域Ｘに対する接触あるいは近接の有無や、検出領域Ｘと指示体との離間距離などを示す信号となる。なお、指示体が検出領域Ｘに接触または近接するほど、静電容量は小さくなる。
【００１９】
タッチ位置検出部５は、タッチパネル３からの信号を処理し、タッチ位置を検出する。すなわち、タッチ位置検出部５は、センスラインＳＬに生成された状態信号を処理することで、表示面に接触または近接するタッチの位置を検出する。タッチ位置検出部５は、増幅部５１、信号取得部５２、Ａ／Ｄ変換部５３、復号処理部５４、タッチ位置算出部５５、およびタッチ開始判定部５６を、タッチパネル３側からこの順に備えている。
【００２０】
増幅部５１は、センスラインＳＬに生成される状態信号を増幅する。信号取得部５２は、増幅部５１によって増幅された状態信号を取得して時分割で出力する。Ａ／Ｄ変換部５３は、信号取得部５２から出力されたアナログ信号をデジタル信号に変換する。復号処理部５４は、Ａ／Ｄ変換部１２３で変換されたデジタル信号に基づいて、タッチパネル３内の容量分布の変化量を求める。タッチ位置算出部５５は、復号処理部５４で求められた容量分布の変化量に基づいて、タッチパネル３上のタッチの位置を算出し、その位置を示すタッチ位置情報を生成する。タッチ開始判定部５６は、タッチ位置検出部５で検出されたタッチ開始位置候補から一連のタッチ操作が開始されたかどうかを判定する。タッチ開始判定部５６の詳細は、後述する。
【００２１】
ホスト端末６は、ドライブライン駆動部４が駆動するドライブラインＤＬを制御する。また、ホスト端末６は、タッチ位置検出部５が状態信号を処理するセンスラインＳＬを制御する。なお、以下では、ホスト端末６がこれらの両方を制御する場合について例示するが、ホスト端末６がこれらの一方のみを制御してもよい。
【００２２】
（タッチパネルシステム１の基本動作）
次に、図１を参照して、このタッチパネルシステム１の基本動作の一例について説明する。なお、以下では、タッチパネルシステム１がタッチパネル３に接触または近接する指示体を検出する１回の試行動作について説明する。
【００２３】
最初に、ドライブライン駆動部４がドライブラインＤＬを駆動して、センスラインＳＬに状態信号を生成する。次に、増幅部５１が、センスラインＳＬに生成される状態信号を増幅する。さらに、信号取得部５２が、増幅部５１で増幅された状態信号を、時分割で出力する。なお、ドライブライン駆動部４、増幅部５１及び信号取得部５２のそれぞれは、ホスト端末６によってその動作が制御される。すなわち、ホスト端末６は、駆動すべきドライブラインＤＬ、状態信号を処理すべきセンスラインＳＬを制御する。
【００２４】
次に、Ａ／Ｄ変換部５３が、信号取得部５２から出力されたアナログ信号を、所定のビット数のデジタル信号に変換する。続いて、復号処理部５４は、Ａ／Ｄ変換部５３によって変換されたデジタル信号に基づいて、タッチパネル３内の容量分布の変化量を求める。例えば、復号処理部５４は、タッチの検出前に、タッチパネル３上にタッチ対象（指示体）が存在しない場合のデジタル信号を取得して、タッチパネル３上にタッチ対象（指示体）が存在しない場合の容量分布をあらかじめ求めておく。そして、復号処理部５４は、Ａ／Ｄ変換部５３から指示体の検出時のデジタル信号を取得して、指示体が存在する場合の容量分布を求める。そして、あらかじめ求めたタッチ対象が存在しない場合の容量分布と、タッチ対象が存在する場合の容量分布とを比較して、容量分布の変化量を求める。この容量分布の変化量は、タッチ対象（指示体）に起因する静電容量の変化量とも言い換えられる。
【００２５】
タッチ位置算出部５５は、復号処理部５４で求められた容量分布の変化量に基づいて、タッチパネル３上のタッチ対象の位置を算出し、タッチ位置情報を生成する。例えば、タッチ位置算出部５５は、タッチパネル３上で静電容量の変化量が、タッチ判定しきい値よりも大きくなっている部分にタッチ対象が存在すると判断して、タッチパネル３上のタッチ対象の位置を算出する。タッチ位置算出部５５は、任意のスキャン周期で検出された、各時点のタッチ位置を算出する。
【００２６】
タッチ開始判定部５６は、タッチ位置算出部５５で算出されたタッチ開始位置候補を起点とするタッチ操作が、検出されるべきタッチ操作かどうかを判定する。
【００２７】
図２に基づいて、タッチ開始判定部５６の一例について説明する。図２は、図１のタッチパネルシステム１におけるタッチ開始判定部５６の構成を示すブロック図である。図２に示すように、タッチ開始判定部５６は、タッチ情報記憶部５６ａと、タッチ状況判定部５６ｂとから構成されている。
【００２８】
タッチ情報記憶部５６ａは、タッチ位置算出部５５により算出されたタッチ位置に関するタッチ情報を記憶する。具体的には、タッチ情報記憶部５６ａは、算出されたタッチの相対時刻と共に、そのタッチ位置情報（タッチ位置の座標など）を記憶する。このため、タッチパネル３上で一連のタッチ操作がされた場合、タッチ情報記憶部５６ａは、タッチ操作中、継続的にタッチ情報を記憶する。従って、タッチ情報記憶部５６ａは、タッチ情報をリアルタイムに記憶することになる。
【００２９】
タッチ状況判定部５６ｂは、タッチ情報記憶部５６ａに記憶されたタッチ情報を読み出す。タッチ情報記憶部５６ａに記憶されたタッチ情報の中には、指示体によるタッチ情報だけでなく、ノイズ等に起因するタッチ様現象が誤認識されたものも含まれる。そこで、タッチ状況判定部５６ｂは、タッチ情報記憶部５６ａに継続的にタッチ情報が記憶されている場合、最初に記憶されたタッチ情報のタッチ位置を起点として、指示体によるタッチが開始されたかどうかを判定する。タッチ状況判定部５６ｂの処理の詳細は後述する。
【００３０】
タッチパネルシステム１では、このような試行動作を繰り返すことによって、タッチ対象である指示体を、継続的に検出する。
【００３１】
なお、ホスト端末６は、必要に応じてタッチ位置算出部５５から出力されるタッチ位置情報を参照して、ドライブライン駆動部４およびタッチ位置検出部５の各部を制御することができる。また、ホスト端末６は、タッチ位置検出部５が単位時間（例えば１秒）当たりにタッチ対象の検出を試行する回数であるフレームレートを、制御することができる。すなわち、タッチパネルシステム１では、ホスト端末６の制御によって、ドライブライン駆動部４が駆動すべきドライブラインＤＬ、タッチ位置検出部５が状態信号を処理すべきセンスラインＳＬ、フレームレート、検出感度などを、それぞれ任意に設定することができる。
【００３２】
（タッチ開始判定部５６の処理）
次に、タッチパネルシステム１の特徴的構成であるタッチ開始判定部５６の詳細について説明する。タッチパネルシステム１では、タッチ位置検出部５が所定時間ごとにタッチ位置を検知することにより、ある時点のタッチ位置が認識される。このため、タッチパネル３上にノイズ等に起因するタッチ様信号が発生した場合、本来認識する必要のないタッチ様信号の位置が、タッチ位置として誤認識される可能性がある。
【００３３】
例えば、図３は、図１のタッチパネルシステム１において検出される一連のタッチ操作の例を示す図である。具体的には、図３には、指示体による本来のタッチ操作（経路Ａ）、および、ノイズ等に起因するタッチ様現象を含むタッチ操作（経路Ｂ）中に検出されたタッチ位置が示されている。経路Ａは、タッチ位置Ｐ０→タッチ位置Ｐ１→タッチ位置Ｐ２→タッチ位置Ｐ３→タッチ位置Ｐ４の順にタッチが検出された場合の経路である。一方、経路Ｂは、タッチ位置Ｐ０→タッチ位置Ｐ１→タッチ位置Ｐ２’の順にタッチが検出された場合の経路である。経路Ａおよび経路Ｂは、いずれもタッチ位置Ｐ０を起点（タッチ開始位置）とするタッチ操作である。経路Ｂは、タッチ様現象が発生した位置として、タッチ位置Ｐ２’を含んでいる。
【００３４】
このように、タッチパネルシステム１は、タッチ操作をしていないにもかかわらず、タッチ様現象を、タッチ（タッチ位置Ｐ２’）として誤認識する可能性がある。つまり、タッチパネルシステム１は、認識すべき経路Ａのタッチ操作も、認識する必要のない経路Ｂのタッチ操作も、タッチ位置Ｐ０を起点（タッチ開始位置）とするタッチ操作として認識する可能性がある。
【００３５】
そこで、タッチパネルシステム１は、経路Ｂのようなタッチ様現象の誤認識を防止する対策として、タッチ開始判定部５６を備えている。タッチ開始判定部５６は、経路Ａのタッチ操作を、タッチ位置Ｐ０を起点（タッチ開始位置）とするタッチ操作として認識する一方、経路Ｂのタッチ操作を、タッチ位置Ｐ０を起点（タッチ開始位置）とするタッチ操作として認識しない。
【００３６】
以下では、図４および図５に基づいて、タッチ開始判定部５６が、タッチの開始を判定する処理例について説明する。図４は、図１のタッチパネルシステム１におけるタッチ開始判定部５６の処理を示すフローチャートである。図５は、図１のタッチパネルシステム１におけるタッチ開始判定部５６の処理を示す模式図である。
【００３７】
図４に示すように、タッチ位置検出部５は、任意のスキャン周期でタッチパネル３からの信号を処理し、タッチ位置を検出する（Ｓ１）。具体的には、タッチパネル３上でタッチ操作が行われると、タッチ位置算出部５５は、タッチパネル３の静電容量の変化量に基づいて、現在のタッチ位置を算出し、算出結果をタッチ開始判定部５６（タッチ情報記憶部５６ａ）に送信する。
【００３８】
次に、タッチ情報記憶部５６ａは、タッチ位置算出部５５により算出されたタッチ情報（検出されたタッチ位置の相対時刻および座標など）を記憶する（Ｓ２）。タッチパネル３上で一連のタッチ操作がされた場合、タッチ位置検出部５は、タッチ操作中、継続的にタッチを検出するため、タッチ情報記憶部５６ａも、タッチ操作中、継続的にタッチ情報を記憶する。
【００３９】
次に、タッチ状況判定部５６ｂは、タッチ情報記憶部５６ａに記憶されたタッチ情報を読み出し、一連のタッチ操作が、タッチ操作として認識すべきものかどうかを判定する（Ｓ３〜Ｓ６）。タッチ情報がタッチ情報記憶部５６ａに継続的に記憶されている場合、このタッチ情報には、指示体によるものだけでなく、タッチ様現象が誤認識されたもの含まれる可能性がある。そこで、タッチ状況判定部５６ｂは、タッチ情報記憶部５６ａに継続的に記憶されたタッチ情報のうち、最初に（相対的に最も早い時点で）記憶されたタッチ情報が、タッチ開始位置候補とみなして処理を進める。
【００４０】
具体的には、タッチ状況判定部５６ｂは、まず、タッチ開始位置候補を基準として、判定領域を設定する（Ｓ３）。次に、タッチ状況判定部５６ｂは、タッチ開始位置候補を起点とするタッチがこの判定領域内で何回連続したかに基づいて、そのタッチ開始位置候補からタッチが開始されたかどうかを判定する（Ｓ４）。タッチ状況判定部５６ｂは、タッチ開始位置候補を起点とするタッチがこの判定領域内で所定回数以上連続した場合、タッチ開始位置候補を起点とするタッチとして出力する（Ｓ５）。一方、タッチ状況判定部５６ｂは、タッチ開始位置候補を起点とするタッチがこの判定領域内で所定回数以上連続しなかった場合、タッチ開始位置候補を起点とするタッチとして出力しない（Ｓ６）。
【００４１】
ここで、図５に基づいて、タッチ状況判定部５６ｂの処理（図４のＳ３〜Ｓ６）についてより詳細に説明する。図５の例では、図３と同様に、経路Ａで示す指示体による本来のタッチ操作（タッチ位置Ｐ０→タッチ位置Ｐ１→タッチ位置Ｐ２→タッチ位置Ｐ３→タッチ位置Ｐ４）、および、経路Ｂで示すノイズ等に起因するタッチ様現象（タッチ位置Ｐ２’）を含むタッチ操作（タッチ位置Ｐ０→タッチ位置Ｐ１→タッチ位置Ｐ２’）におけるタッチ位置が示されている。
【００４２】
経路Ａおよび経路Ｂのいずれの場合も、タッチ位置Ｐ０が最初に（相対的に最も早い時点で）記憶されたタッチ位置である。このため、タッチ状況判定部５６ｂは、タッチ位置Ｐ０を、タッチ開始位置候補とみなす。次に、タッチ状況判定部５６ｂは、タッチ位置Ｐ０を基準にして、判定領域Ｒを設定する。ここでは、タッチ位置開始位置候補であるタッチ位置Ｐ０を起点とする円が、判定領域Ｒとして設定されている（図４のＳ３に相当）。
【００４３】
次に、タッチ状況判定部５６ｂは、タッチ開始位置候補（タッチ位置Ｐ０）を起点とするタッチが、判定領域Ｒ内で所定回数以上連続したかどうかを判定する。ここでは、判定基準となる所定回数を「２回以上」に設定している。つまり、図５の例では、タッチ位置Ｐ０を含めて３回のタッチによって、タッチ開始位置候補（タッチ位置Ｐ０）からタッチが開始されたかどうかを判定する（図４のＳ４に相当）。
【００４４】
具体的には、経路Ａのタッチ操作の場合、タッチ位置Ｐ０を起点として、３回連続してタッチ位置（タッチ位置Ｐ０→タッチ位置Ｐ１→タッチ位置Ｐ２→タッチ位置Ｐ３）が判定領域Ｒ内で検出されている。このように、経路Ａのタッチ操作の場合、タッチ位置Ｐ０を起点とするタッチが、「２回以上」連続している（図４のＳ４でＹＥＳ）。この場合、タッチ状況判定部５６ｂは、経路Ａのタッチ操作を、タッチ位置Ｐ０からタッチが開始された一連のタッチであると判定し、判定結果をタッチ位置算出部５５に出力する（図４のＳ５に相当）。これにより、経路Ａのタッチ操作が、タッチ位置Ｐ０からタッチが開始された一連のタッチとして扱われる。
【００４５】
一方、経路Ｂのタッチ操作の場合、タッチ位置Ｐ０を起点とする次のタッチ位置であるタッチ位置Ｐ１は、判定領域Ｒ内で検出されている。しかし、タッチ位置Ｐ１の次のタッチ位置であるタッチ位置Ｐ２’は、タッチ様現象の位置であり、判定領域Ｒ外で検出されている。このように、経路Ｂのタッチ操作の場合、タッチ位置Ｐ０を起点とするタッチが、「２回以上」連続していない（図４のＳ４でＮＯ）。この場合、タッチ状況判定部５６ｂは、経路Ｂのタッチ操作を、タッチ位置Ｐ０からタッチが開始された一連のタッチではないと判定し、判定結果をタッチ位置算出部５５に出力する（図４のＳ５に相当）。これにより、経路Ｂのタッチ操作が、タッチ位置Ｐ０からタッチが開始されていないものとして扱われ、タッチ開始判定部５６（タッチ状況判定部５６ｂ）は、経路Ｂのタッチ操作を、一連のタッチとして出力しない。すなわち、経路Ｂのタッチ操作は、ノイズ等に起因するタッチ様現象を含むと判断され、タッチ位置Ｐ０はタッチ開始位置候補から排除される。
【００４６】
以上のように、タッチパネルシステム１によれば、タッチ位置検出部５がタッチパネル３上の一連のタッチ操作を検出する。そして、検出された一連のタッチのうち、相対的に最も早くに検出された位置が、タッチ開始位置候補（タッチ位置Ｐ０）となる。タッチ開始判定部５６は、タッチ開始位置候補（タッチ位置Ｐ０）を基準に判定領域Ｒを設定する。さらに、タッチ開始判定部５６は、その判定領域Ｒ内における、タッチ開始位置候補（タッチ位置Ｐ０）を起点とするタッチの連続回数に基づいて、タッチ開始位置候補（タッチ位置Ｐ０）からタッチが開始されたかどうかを判定する。すなわち、指またはペンなどの指示体による一連のタッチ操作の場合（経路Ａ）、タッチ開始位置候補（タッチ位置Ｐ０）を起点としてタッチが連続するため、判定領域Ｒ内で複数のタッチが検出される。一方、指示体による一連のタッチ操作にノイズ等に起因するタッチ様現象（タッチ位置Ｐ２’）が含まれていた場合（経路Ｂ）、タッチ様現象の大半は、タッチ開始位置候補（タッチ位置Ｐ０）およびタッチ開始位置候補（タッチ位置Ｐ０）を起点とする指示体によるタッチの位置から、かけ離れた位置で検出される。つまり、タッチ様現象のタッチ位置Ｐ２’の大半は、判定領域Ｒ外で検出されることになる。
【００４７】
これにより、タッチ開始判定部５６は、判定領域Ｒ内で検出される連続するタッチ回数に基づいて、本来検出されるべき経路Ａのタッチ操作と、検出されるべきでない経路Ｂのタッチ操作（タッチ様現象（タッチ位置Ｐ２’）を含むタッチ操作）とを区別して、タッチ開始位置を判定する。従って、タッチ様現象（タッチ位置Ｐ２’）に起因するタッチ操作の誤認識を防止することができる。
【００４８】
なお、判定領域Ｒは、指示体によるタッチと、タッチ様現象とを区別し、一連のタッチ操作の開始位置を判定できるように設定すればよい。言い換えれば、判定領域Ｒは、タッチ様現象（タッチ位置Ｐ２’）の大半（好ましくは全て）を排除し、一連のタッチ操作のみがその判定領域Ｒ内で連続するように設定すればよい。
【００４９】
判定領域Ｒの設定方法は、特に限定されるものではないが、例えば、判定領域Ｒの面積と、判定基準となる判定領域Ｒ内でのタッチの連続回数（所定回数）とが、比例するように設定することが好ましい。例えば、判定領域Ｒの面積が広い場合に、タッチの連続回数が多く設定され、判定領域Ｒの面積が狭い場合に、タッチの連続回数が少なく設定される。これにより、判定領域Ｒの面積と、タッチの連続回数とが連動する。その結果、タッチ様現象が、より確実に判定領域Ｒ外で検出される。従って、タッチ様現象（タッチ位置Ｐ２’）に起因するタッチ操作の誤認識を、より確実に防止することができる。
【００５０】
また、判定領域Ｒは、タッチパネル３のスキャン周期、タッチパネル３の面積、および上記所定回数の少なくとも１つに基づいて、設定することが好ましい。タッチ開始からの経過時間は、上記スキャン周期、面積、および所定回数（判定領域Ｒ内でのタッチの連続回数）の各々に比例する。一方、タッチ様現象は、タッチ開始からの経過時間に依存せずに発生する。このため、スキャン周期、タッチパネルの面積または判定領域内でのタッチの連続回数に基づいて判定領域Ｒを設定すれば、タッチ開始からの経過時間に依存しないタッチ様現象（タッチ位置Ｐ２’）が、より確実に判定領域Ｒ外で検出される。従って、タッチ様現象（タッチ位置Ｐ２’）に起因するタッチ操作の誤認識を、より確実に防止することができる。
【００５１】
判定領域Ｒは、任意の形状および面積に設定することができる。しかし、判定領域Ｒは、タッチ開始位置候補（タッチ位置Ｐ０）を中心とする円形状であることが好ましい。判定領域Ｒが円形状である場合、タッチ開始位置候補（タッチ位置Ｐ０）を中心として均等な範囲の判定領域Ｒが設定される。これにより、タッチ開始位置候補（タッチ位置Ｐ０）を中心としてあらゆる方向に出現するタッチ様現象（タッチ位置Ｐ２’）を排除することができる。従って、タッチ開始位置候補（タッチ位置Ｐ０）に対するタッチ様現象（タッチ位置Ｐ２’）の出現位置（出現方向）に関係なく、タッチ様現象（タッチ位置Ｐ２’）の誤認識を防止することができる。
【００５２】
なお、判定領域Ｒ、および、判定基準となる判定領域Ｒ内でのタッチの連続回数は、当業者であれば、経験則に基づいて設定することができる。
【００５３】
また、タッチパネルシステム１では、タッチ開始判定部５６（タッチ状況判定部５６ｂ）は、タッチ開始位置候補（タッチ位置Ｐ０）を起点とするタッチが、判定領域Ｒ内で所定回数以上連続しなかった場合に、タッチ開始位置候補（タッチ位置Ｐ０）を起点とするタッチを、タッチとして出力しないことが好ましい。
【００５４】
すなわち、タッチ開始判定部５６は、タッチ開始位置候補（タッチ位置Ｐ０）を起点とするタッチが、判定領域Ｒ内で所定回数以上連続した場合にのみ、一連のタッチとして出力することが好ましい。これにより、本来検出されるべき経路Ａのタッチ操作のみが、一連のタッチとして出力される。従って、タッチ様現象（タッチ位置Ｐ２’）に起因するタッチ操作の誤認識を防止することができる。
【００５５】
なお、上述の例では、２つのタッチ操作（経路Ａおよび経路Ｂ）が別々に検出された場合のタッチ開始の判定について説明した。しかし、２つのタッチ操作（経路Ａおよび経路Ｂ）が同時に検出された場合についても、同様に、経路Ａのタッチ操作のみを、タッチ開始位置候補からタッチが開始されたと判定することができる。
【００５６】
〔実施形態２〕
図６は、タッチパネルシステム１を搭載した携帯電話機１０の構成を示す機能ブロック図である。携帯電話機（電子機器）１０は、ＣＰＵ７１と、ＲＡＭ７３と、ＲＯＭ７２と、カメラ７４と、マイクロフォン７５と、スピーカ７６と、操作キー７７と、タッチパネルシステム１とを備えている。各構成要素は、相互にデータバスによって接続されている。
【００５７】
ＣＰＵ７１は、携帯電話機１０の動作を制御する。ＣＰＵ７１は、たとえばＲＯＭ７２に格納されたプログラムを実行する。操作キー７７は、携帯電話機１０のユーザによる指示の入力を受ける。ＲＡＭ７３は、ＣＰＵ７１によるプログラムの実行により生成されたデータ、または操作キー７７を介して入力されたデータを揮発的に格納する。ＲＯＭ７２は、データを不揮発的に格納する。
【００５８】
また、ＲＯＭ７２は、ＥＰＲＯＭ（Erasable Programmable Read-Only Memory）やフラッシュメモリなどの書込みおよび消去が可能なＲＯＭである。なお、図６には示していないが、携帯電話機１０が、他の電子機器に有線により接続するためのインターフェイス（ＩＦ）を備える構成としてもよい。
【００５９】
カメラ７４は、ユーザの操作キー７７の操作に応じて、被写体を撮影する。なお、撮影された被写体の画像データは、ＲＡＭ７３や外部メモリ（たとえば、メモリカード）に格納される。マイクロフォン７５は、ユーザの音声の入力を受付ける。携帯電話機１０は、当該入力された音声（アナログデータ）をデジタル化する。そして、携帯電話機１０は、通信相手（たとえば、他の携帯電話機）にデジタル化した音声を送る。スピーカ７６は、たとえば、ＲＡＭ７３に記憶された音楽データなどに基づく音を出力する。
【００６０】
ＣＰＵ７１は、タッチパネルシステム１の動作を制御する。ＣＰＵ７１は、例えばＲＯＭ７２に記憶されたプログラムを実行する。ＲＡＭ７３は、ＣＰＵ７１によるプログラムの実行により生成されたデータを揮発的に格納する。ＲＯＭ７２は、データを不揮発的に格納する。なお、タッチパネルシステム１には、ＲＯＭ７２、ＲＡＭ７３に格納されている画像を表示する。
【００６１】
なお、本発明は、以下のように表現することもできる。
【００６２】
〔まとめ〕
本発明の態様１に係るタッチパネルシステム１は、タッチパネル３と、タッチパネル３上のタッチ位置を検出するタッチ位置検出部５とを備え、上記タッチ位置検出部５は、相対的に最も早く検出されたタッチ位置であるタッチ開始位置候補（タッチ位置Ｐ０）を基準に判定領域Ｒを設定すると共に、タッチ開始位置候補（タッチ位置Ｐ０）を起点とするタッチが、判定領域Ｒ内で所定回数以上連続した場合に、タッチ開始位置候補（タッチ位置Ｐ０）からタッチが開始されたと判定するタッチ開始判定部５６を備えることを特徴としている。
【００６３】
上記の構成によれば、タッチ開始判定部５６は、判定領域Ｒ内で検出される連続するタッチ回数に基づいて、本来検出されるべき経路Ａのタッチ操作と、検出されるべきでない経路Ｂのタッチ操作（タッチ様現象（タッチ位置Ｐ２’）を含むタッチ操作）とを区別して、タッチ開始位置を判定する。従って、タッチ様現象（タッチ位置Ｐ２’）に起因するタッチ操作の誤認識を防止することができる。
【００６４】
本発明の態様２に係るタッチパネルシステム１は、上記態様１において、上記タッチ開始判定部５６は、上記判定領域Ｒの面積と上記所定回数とが比例するように、判定領域Ｒを設定することが好ましい。
【００６５】
上記の構成によれば、判定領域Ｒの面積と、判定基準となる判定領域Ｒ内でのタッチの連続回数とが連動する。その結果、タッチ様現象が、より確実に判定領域Ｒ外で検出される。従って、タッチ様現象（タッチ位置Ｐ２’）の誤認識を、より高い精度で防止することができる。
【００６６】
本発明の態様３に係るタッチパネルシステム１は、上記態様１または２において、上記タッチ開始判定部５６は、上記タッチ開始位置候補（タッチ位置Ｐ０）を起点とするタッチが、判定領域Ｒ内で所定回数以上連続しなかった場合に、上記タッチ開始位置候補（タッチ位置Ｐ０）を起点とするタッチを、タッチとして出力しないことが好ましい。
【００６７】
上記の構成によれば、タッチ開始判定部５６は、タッチ開始位置候補（タッチ位置Ｐ０）を起点とするタッチが、判定領域Ｒ内で所定回数以上連続した場合にのみ、一連のタッチとして判定する。これにより、本来検出されるべき経路Ａのタッチ操作のみが、一連のタッチとして出力される。従って、タッチ様現象（タッチ位置Ｐ２’）に起因するタッチ操作の誤認識を防止することができる。
【００６８】
本発明の態様４に係るタッチパネルシステム１は、上記態様１〜３のいずれかにおいて、上記タッチ開始判定部５６は、上記タッチパネル３のスキャン周期、タッチパネル３の面積、および上記所定回数の少なくとも１つに基づいて、上記判定領域Ｒを設定してもよい。上記の構成によれば、タッチ開始からの経過時間に比例する、スキャン周期、タッチパネル３の面積または判定領域Ｒ内でのタッチの連続回数に基づいて、判定領域Ｒが設定される。これにより、タッチ開始からの経過時間に依存しないタッチ様現象（タッチ位置Ｐ２’）が、より確実に判定領域Ｒ外で検出される。従って、タッチ様現象（タッチ位置Ｐ２’）に起因するタッチ操作の誤認識を、より確実に防止することができる。
【００６９】
本発明の態様５に係るタッチパネルシステム１は、上記態様１〜４のいずれかにおいて、上記タッチ開始判定部５６は、上記判定領域Ｒを、上記タッチ開始位置候補（タッチ位置Ｐ０）を中心とする円形状に設定することが好ましい。
【００７０】
上記の構成によれば、判定領域Ｒが円形状であるため、タッチ開始位置候補（タッチ位置Ｐ０）を中心として均等な範囲の判定領域Ｒが設定される。これにより、タッチ開始位置候補（タッチ位置Ｐ０）を中心としてあらゆる方向に出現するタッチ様現象（タッチ位置Ｐ２’）を排除することができる。従って、タッチ開始位置候補（タッチ位置Ｐ０）に対するタッチ様現象（タッチ位置Ｐ２’）の出現位置（出現方向）に関係なく、タッチ様現象（タッチ位置Ｐ２’）の誤認識を防止することができる。
【００７１】
本発明の態様６に係るタッチパネルシステム１は、上記態様１〜５のいずれかにおいて、上記タッチパネルは、投影型静電容量方式のタッチパネルであってもよい。
【００７２】
上記の構成によれば、動作原理が投影型静電容量方式のタッチパネルを備えているため、マルチタッチ（多点検出）が可能なタッチパネルシステムを提供することができる。
【００７３】
本発明の態様７に係るタッチパネルシステム１は、上記態様１〜６のいずれかにおいて、表示装置をさらに備え、上記タッチパネルは、上記表示装置の前面に設けられていてもよい。
【００７４】
上記の構成によれば、タッチパネルが表示装置の前面に設けられているため、表示装置に発生したノイズがタッチ位置として誤認識されるのを防止することができる。
【００７５】
本発明の態様８に係るタッチパネルシステム１は、上記態様１〜７のいずれかにおいて、上記表示装置は、液晶ディスプレイ、プラズマディスプレイ、または有機ＥＬディスプレイ、電界放出ディスプレイ、またはＩｎＧａＺｎＯ系酸化物半導体を搭載したディスプレイであってもよい。
【００７６】
上記の構成によれば、表示装置が、日常的な電子機器に多用されている各種ディスプレイから構成されている。従って、汎用性の高いタッチパネルシステムを提供することができる。また、ＩｎＧａＺｎＯ系酸化物半導体を採用した表示装置２は、高精細表示および飛躍的な省エネルギー化を実現することができる。
【００７７】
本発明の態様９に係る電子機器は、上記態様１〜８のいずれかに記載のタッチパネルシステムを備える構成である。
【００７８】
従って、タッチ操作の誤認識を防止することができる電子機器を提供することができる。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８０】
本発明は、テレビ、パソコン、携帯電話、デジタルカメラ、携帯ゲーム機、電子フォトフレーム、携帯情報端末、電子ブック、家電製品、券売機、ＡＴＭ、カーナビゲーション等、タッチパネル式の各種電子機器に適用することができる。
【符号の説明】
【００８１】
１  タッチパネルシステム
２  表示装置
３  タッチパネル
５  タッチ位置検出部
１０  携帯電話機（電子機器）
５６  タッチ開始判定部
５６ａ  タッチ情報記憶部
５６ｂ  タッチ状況判定部
【図１】
0005805910.tif 000002
【図２】
0005805910.tif 000003
【図３】
0005805910.tif 000004
【図４】
0005805910.tif 000005
【図５】
0005805910.tif 000006
【図６】
0005805910.tif 000007
【図７】
0005805910.tif 000008